(57)【特許請求の範囲】
【請求項１】
通信用メタリックケーブルの絶縁被覆心線接続方法において、
割部分を有する割スリーブ内に通信用メタリックケーブルの絶縁被覆を除去されていない切断された２本の絶縁被覆心線を挿入し、該２本の絶縁被覆心線に圧着される側に設けられ、挿入された前記２本の絶縁被覆心線にわたって前記絶縁被覆心線の長さ方向に延びる導電性部材と、前記導電性部材に形成され導電性材料からなる複数の針状突起部とを有する心線圧着部品を心線接続用治具により前記割スリーブ内に前記割部分より落とし込み、前記複数の針状突起部が前記２本の絶縁被覆心線の絶縁被覆を突き刺し、前記絶縁被覆心線の導線部分まで達するまで圧入して電気的導通が得られるようにしたことを特徴とする通信用メタリックケーブルの絶縁被覆心線接続方法。
【請求項２】
通信用メタリックケーブルの心線接続方法において、
切断されていない既設絶縁被覆心線を、割部分を有する割スリーブ内に該割部分より挿入し、かつ割り入れ絶縁被覆心線を前記割スリーブ内に挿入した後、前記既設絶縁被覆心線及び割り入れ絶縁被覆心線に圧着される側に設けられ、挿入された前記２本の絶縁被覆心線にわたって前記絶縁被覆心線の長さ方向に延びる導電性部材と、前記導電性部材に形成され導電性材料からなる複数の針状突起部とを有する心線圧着部品を心線接続用治具により前記割スリーブ内に前記割部分より落とし込み、前記複数の針状突起部が前記既設絶縁被覆心線及び割り入れ絶縁被覆心線の絶縁被覆を突き刺し、前記既設絶縁被覆心線及び割り入れ絶縁被覆心線の導線部分まで達するまで圧入して電気的導通が得られるようにしたことを特徴とする通信用メタリックケーブルの絶縁被覆心線接続方法。
【請求項３】
前記割スリーブの内部に、予め絶縁性のグリースを充填した状態で前記絶縁被覆心線の接続作業を行うことを特徴とする請求項１または２のいずれかに記載の通信用メタリックケーブルの絶縁被覆心線接続方法。
【請求項４】
請求項１乃至３のいずれかに記載の通信用メタリックケーブルの絶縁被覆心線接続方法を実施する際に使用する心線圧着部品であって、
該心線圧着部品は、基部が絶縁性プラスチックで形成され、絶縁被覆心線に圧着される側に位置する先端部は複数の針状突起部を有する導電性材料で形成されたことを特徴とする心線圧着部品。
【請求項５】
請求項１乃至３のいずれかに記載の通信用メタリックケーブルの絶縁被覆心線接続方法を実施する際に使用する割スリーブであって、
該割スリーブは、軸方向に割部分を有し、該割部分の端部は請求項４に記載の心線圧着部品が装着された際に位置決め固定するための位置決め用ストッパを形成することを特徴とする割スリーブ。
【請求項６】
前記割スリーブの内底部には凸面形状の模様が多数、突設され、かつ外底部には位置決め用突起部が形成されていることを特徴とする請求項５に記載の割スリーブ。
【請求項７】
前記割スリーブは、絶縁性材料で形成され、または外周面が絶縁材料で被覆されていることを特徴とする請求項５または６のいずれかに記載の割スリーブ。
【請求項８】
請求項１乃至３のいずれかに記載の通信用メタリックケーブルの絶縁被覆心線接続方法を実施する際に使用する心線接続用治具であって、
該心線接続用治具は、請求項４に記載の心線圧着部品を請求項５乃至７のいずれかに記載の割スリーブ内部に押し込むものであり、
前記割スリーブを位置決めする凹部が形成された受け部と、前記心線圧着部品を一定量押し込むための凸部を有する押し込み部とからなることを特徴とする心線接続用治具。
【請求項９】
前記受け部における凹部の底部には、前記割スリーブに設けられた位置決め用突起部が係合する前記割スリーブの位置決め用溝が形成されていることを特徴とする請求項８に記載の心線接続用治具。
【請求項１０】
前記受け部における前記凹部の底部から前記受け部の上面までの高さＤは、割スリーブの高さＢの半分よりも長く、かつ軸方向の長さＦは前記割スリーブの長さＣよりも長く、前記受け部の凹部の最大幅Ｅは前記割スリーブの幅Ａと前記割スリーブを前記受け部にセットし、前記押し込み部により前記割スリーブ内に前記心線圧着部品が押し込まれる際に前記割スリーブが横に変形する変形量を加えた長さより大きくしてあることを特徴とする請求項８または９のいずれかに記載の心線接続用治具。
【発明の詳細な説明】
【０００１】
【発明の属する技術分野】
本発明は、通信メタリックケーブルの絶縁被覆心線を絶縁被覆を除去せずに電気的導通ができる通信用メタリックケーブルの絶縁被覆心線接続方法、この絶縁被覆心線接続方法を実施するのに使用する心線圧着部品、割スリーブ及び心線接続用治具に関する。
【０００２】
【従来の技術】
従来の通信メタリックケーブルの絶縁被覆心線接続方法としては、絶縁被覆心線の心線部分を金属のＵ字状スリット部分に落とし込み、絶縁被覆が破壊され、心線の導体部分がＵ字状スリットの金属部分と接触して電気的導通を得る方法がある。この方法では、Ｕ字状スリット部分での接触点において心線と電気的導通を行うため、心線導体とＵ字状スリットとの接触抵抗を低く抑える手段として、Ｕ字状スリットと心線の接触面積を大きくする、または複数のＵ字状スリットを用いる方法が採られている。
【０００３】
【発明が解決しようとする課題】
上記従来技術において使用するＵ字状スリットは、心線が挿入されたときに変形しその復元力により心線を把持固定する構造となっており、同一Ｕ字状スリット内に複数心線は固定できず、心線間の導通はＵ字状スリット相互の電気的導通により行われているため、Ｕ字状スリット自体を小型化するのが難しく、さらに、接続後の電気的絶縁を確保するため、Ｕ字状スリットの金属部分を、絶縁性を有するハウジングで覆う必要があり、接続部全体としての小型化が難しいという問題が有った。
【０００４】
本発明は、このような事情に鑑みてなされたものであり、通信用メタリックケーブルの絶縁被覆心線の接続において、接続部の接触抵抗が低く、施工が簡単で、施工後の接続部の小型化が可能な通信用メタリックケーブルの絶縁被覆心線接続方法、この絶縁被覆心線接続方法を実施するのに使用する心線圧着部品、割スリーブ及び心線接続用治具を提供することを目的とする。
【０００５】
【課題を解決するための手段】
上記目的を達成するために請求項１に記載の発明は、通信用メタリックケーブルの絶縁被覆心線接続方法において、割部分を有する割スリーブ内に通信用メタリックケーブルの絶縁被覆を除去されていない切断された２本の絶縁被覆心線を挿入し、該２本の絶縁被覆心線に圧着される側に設けられ、挿入された前記２本の絶縁被覆心線にわたって前記絶縁被覆心線の長さ方向に延びる導電性部材と、前記導電性部材に形成され導電性材料からなる複数の針状突起部とを有する心線圧着部品を心線接続用治具により前記割スリーブ内に前記割部分より落とし込み、前記複数の針状突起部が前記２本の絶縁被覆心線の絶縁被覆を突き刺し、前記絶縁被覆心線の導線部分まで達するまで圧入して電気的導通が得られるようにしたことを特徴とする。
【０００６】
また、請求項２に記載の発明は、通信用メタリックケーブルの心線接続方法において、切断されていない既設絶縁被覆心線を、割部分を有する割スリーブ内に該割部分より挿入し、かつ割り入れ絶縁被覆心線を前記割スリーブ内に挿入した後、前記既設絶縁被覆心線及び割り入れ絶縁被覆心線に圧着される側に設けられ、挿入された前記２本の絶縁被覆心線にわたって前記絶縁被覆心線の長さ方向に延びる導電性部材と、前記導電性部材に形成され導電性材料からなる複数の針状突起部とを有する心線圧着部品を心線接続用治具により前記割スリーブ内に前記割部分より落とし込み、前記複数の針状突起部が前記既設絶縁被覆心線及び割り入れ絶縁被覆心線の絶縁被覆を突き刺し、前記既設絶縁被覆心線及び割り入れ絶縁被覆心線の導線部分まで達するまで圧入して電気的導通が得られるようにしたことを特徴とする。
【０００７】
また、請求項３に記載の発明は、請求項１または２のいずれかに記載の通信用メタリックケーブルの絶縁被覆心線接続方法において、前記割スリーブの内部に、予め絶縁性のグリースを充填した状態で前記絶縁被覆心線の接続作業を行うことを特徴とする。
【０００８】
また、請求項４に記載の発明は、請求項１乃至３のいずれかに記載の通信用メタリックケーブルの絶縁被覆心線接続方法を実施する際に使用する心線圧着部品であって、該心線圧着部品は、基部が絶縁性プラスチックで形成され、絶縁被覆心線に圧着される側に位置する先端部は複数の針状突起部を有する導電性材料で形成されたことを特徴とする。
【０００９】
また、請求項５に記載の発明は、請求項１乃至３のいずれかに記載の通信用メタリックケーブルの絶縁被覆心線接続方法を実施する際に使用する割スリーブであって、該割スリーブは、軸方向に割部分を有し、該割部分の端部は請求項４に記載の心線圧着部品が装着された際に位置決め固定するための位置決め用ストッパを形成することを特徴とする。
【００１０】
また、請求項６に記載の発明は、請求項５に記載の割スリーブにおいて、前記割スリーブの内底部には凸面形状の模様が多数、突設され、かつ外底部には位置決め用突起部が形成されていることを特徴とする。
【００１１】
また、請求項７に記載の発明は、請求項５または６のいずれかに記載の割スリーブにおいて、前記割スリーブは、絶縁性材料で形成され、または外周面が絶縁材料で被覆されていることを特徴とする。
【００１２】
また、請求項８に記載の発明は、請求項１乃至３のいずれかに記載の通信用メタリックケーブルの絶縁被覆心線接続方法を実施する際に使用する心線接続用治具であって、該心線接続用治具は、請求項４に記載の心線圧着部品を請求項５乃至７のいずれかに記載の割スリーブ内部に押し込むものであり、前記割スリーブを位置決めする受け部と、前記心線圧着部品を一定量押し込むための凸部を有する押し込み部とからなることを特徴とする。
【００１３】
また、請求項９に記載の発明は、請求項８に記載の心線接続用治具において、前記受け部の内底部には、前記割スリーブ１に設けられた位置決め用突起部が係合する前記割スリーブの位置決め用溝が形成されていることを特徴とする。
【００１４】
また、請求項１０に記載の発明は、請求項８または９のいずれかに記載の心線接続用治具において、前記受け部における前記凹部の底部から前記受け部の上面までの高さＤは、割スリーブ１の高さＢの半分よりも長く、かつ軸方向の長さＦは前記割スリーブの長さＣよりも長く、前記受け部の凹部の最大幅Ｅは前記割スリーブの幅Ａと前記割スリーブを前記受け部にセットし、前記押し込み部により前記割スリーブ内に前記心線圧着部品が押し込まれる際に前記割スリーブが横に変形する変形量を加えた長さより大きくしてあることを特徴とする。
【００１５】
【発明の実施の形態】
以下、本発明の実施形態を、図面を参照して詳細に説明する。
〈第１実施形態〉
本発明の第１の実施形態に係る通信用メタリックケーブルの絶縁被覆心線接続方法について図１乃至図５を参照して説明する。本発明の第１の実施形態に係る通信用メタリックケーブルの絶縁被覆心線接続方法を実施するのに使用する割スリーブ１及び心線圧着部品２の外観構成を図１に示す。
【００１６】
図１において、割スリーブ１は、軸方向に割部分を有し、該割部分の端部は心線圧着部品２が装着された際に位置決め固定するための位置決め用ストッパ１ａ，１ｂを形成している。また、割スリーブ１の内底部には凸面形状の模様１ｃが多数、突設され、かつ外底部には位置決め用突起部１ｄが形成されている。この凸面形状の模様１ｃは、心線圧着部品２が割スリーブ１内に押し込まれた状態において、絶縁被覆心線が凸面形状部分に沿って変形し、絶縁被覆心線の固定力を高めるように作用する。
【００１７】
本実施形態では割スリーブ１は、全体が絶縁性材料で形成されているが、外周面のみを絶縁材料で被覆するようにしてもよい。このように構成することにより組み立て後に他の割スリーブと接触しても混線を生じることがない。
また、心線圧着部品２は、基部２ｂが絶縁性プラスチックで形成され、絶縁被覆心線に圧着される側に位置する先端部２ａは導電性材料で形成され複数の針状突起部２ｃを有している。この針状突起部２ｃも導電性材料で形成されている。心線圧着部品２は、割スリーブ１に押し込まれた際に割スリーブ１の位置決め用ストッパ１ａ，１ｂにより位置決め固定される。
【００１８】
次に、本発明の第１の実施形態に係る通信用メタリックケーブルの絶縁被覆心線接続方法を実施するのに使用する、割スリーブ１の内部へ心線圧着部品２を挿入するための心線接続用冶具３の外観構成を図２に示す。同図において、心線接続用治具３は、心線圧着部品２を割スリーブ１内部に押し込むのに使用する器具であり、割スリーブ１を位置決めする受け部３ａと、心線圧着部品２を一定量押し込むための凸部３ｃを有する押し込み部３ｂとからなる。
【００１９】
受け部３ａの内底部には、割スリーブ１に設けられた位置決め用突起部１ｄが係合する割スリーブ１の位置決め用溝３ｄが形成されている。
受け部３ａにおける凹部の底部から受け部３ａの上面までの高さＤは、割スリーブ１の高さＢの半分よりも長く、かつ軸方向の長さＦは割スリーブ１の長さＣよりも長く、割スリーブ１を心線接続用冶具３の受け部３ａにセットした場合、容易に脱落せず、心線接続用冶具３の押し込み部３ｂにより割スリーブ１内に心線圧着部品２が押し込まれる際に割スリーブ１が横に変形する変形量を確保するために、受け部３ａの凹部の最大幅Ｅは割スリーブ１の幅Ａと割スリーブ１が横に変形する変形量を加えた長さより大きく設定されている。
【００２０】
次に、本発明の第１の実施形態に係る通信用メタリックケーブルの絶縁被覆心線接続方法の手順について図３乃至図５を参照して説明する。本発明の第１の実施形態に係る通信用メタリックケーブルの絶縁被覆心線接続方法は、割部分を有する割スリーブ内に通信用メタリックケーブルの絶縁被覆を除去されていない切断された２本の絶縁被覆心線を挿入し、該２本の絶縁被覆心線に圧着される側に複数の針状突起部を有する心線圧着部品を心線接続用治具により前記割スリーブ内に前記割部分より落とし込み、前記複数の針状突起部が前記２本の絶縁被覆心線の絶縁被覆を突き刺し、前記絶縁被覆心線の導線部分まで達するまで圧入して電気的導通が得られるようにしたことを特徴としている。
【００２１】
図３（a）は、本実施形態における絶縁被覆心線の接続部の形態を示し、割スリーブの割部分に心線圧着部品２が割スリーブ１の位置決め用ストッパ１ａ，１ｂにより位置決め固定されて装着され、絶縁被覆心線が挿入される前の状態を示している。また、割スリーブ１の内部には予め絶縁性を有するグリース５が充填されている。これは、絶縁被覆心線の接続後にその接続部に絶縁性を持たせるためである。
次に、図３（ａ）に示す状態で図５に示すように、割スリーブ１の位置決め用突起部１ｄを心線接続用冶具３の受け部３ａにおける位置決め用溝３ｄに係合させ、この状態で切断された２本の絶縁被覆心線４ａ，４ｂを割スリーブ１内に挿入する（心線接続用冶具３は図示してない。）（図３（ｂ））。
【００２２】
ここで、既述したように受け部３ａの凹部の幅Ｅは、割スリーブ１に心線圧着部品２が押し込まれた際の変形量を考慮して割スリーブの幅Ａより広い幅にしてある。
次に、割スリーブ内へ心線接続用冶具３により心線圧着部品２を押し込む。すなわち、受け部３ａ内に位置決めされた割スリーブ１を、押し込み部３ｂの突起部３ｃにより心線圧着部品２を所定量Ｇだけ押し込むことにより心線圧着部品２の挿入が完了する（図３（ｃ））。
【００２３】
図３（ｃ）は心線接続用冶具３の押し込み部３ｂにより心線圧着部品２が割スリーブ１内へ押し込まれ、心線圧着部品２により割スリーブ１内に挿入された絶縁被覆心線４ａ，４ｂを押し潰しながら、心線圧着部品２の先端部２ａの針状突起部２ｃが絶縁被覆心線４ａ，４ｂの絶縁被覆を突き破り、絶縁被覆心線４ａ，４ｂの導線部分まで達することにより絶縁被覆心線４a〜心線圧着部品２の先端部２ａ〜絶縁被覆心線４b間の電気的導通が得られる状態を示している。
【００２４】
また、図３（ｃ）に示す状態において心線圧着部品２を心線の軸方向に微小にスライドさせることにより心線被覆の破壊が起こり、心線圧着部品２の先端の針状突起部２ｃと絶縁被覆心線４ａ，４ｂの導線部分との接触をより確実に行うことが可能となる。
【００２５】
図４（ａ），（ｂ）は図３（ｂ），（ｃ）に示す絶縁被覆心線の接続過程における絶縁被覆心線の電気的導通および心線固定状況を示している。図４において、絶縁被覆心線４（４ａ，４ｂ）が、割スリーブ１内部で心線圧着部品２により押圧され、割スリーブ１の内側に設けられた凸面状の模様１ｃに沿って変形し、心線圧着部品２の針状突起部２ｃが絶縁被覆を突き破り、多数点で絶縁被覆心線４の導体部分に接触することにより、心線導体と心線圧着部品２の接触抵抗の低減を図っている。
【００２６】
また、割スリーブ形状の一例として、割スリーブ１は楕円形（  Ａ＞Ｂ）の形状になっており心線圧着部品２を心線接続用冶具３により割スリーブ１内部へ押し込み絶縁被覆心線４を押圧した状態では、心線被覆が変形した際の復元力を抑制し、心線固定力が作用する状態となっており、心線固定力を確実に確保することができる。
【００２７】
〈第２実施形態〉
次に、本発明の第２の実施形態に係る通信用メタリックケーブルの絶縁被覆心線接続方法について説明する。第１の実施形態では、それぞれが切断された絶縁被覆心線同士を接続する場合について示したが、第２の実施形態では、切断されていない既設絶縁心線４ｃへの割り入れ事例について説明する。本発明の第２の実施形態に係る通信用メタリックケーブルの絶縁被覆心線接続方法の手順を図６に示す。
【００２８】
本発明の第２の実施形態に係る通信用メタリックケーブルの心線接続方法は、切断されていない既設絶縁被覆心線を、割部分を有する割スリーブ内に該割部分より挿入し、かつ割り入れ絶縁被覆心線を前記割スリーブ内に挿入した後、前記既設絶縁被覆心線及び割り入れ絶縁被覆心線に圧着される側に複数の針状突起部を有する心線圧着部品を心線接続用治具により前記割スリーブ１内に前記割部分より落とし込み、前記複数の針状突起部が前記既設絶縁被覆心線及び割り入れ絶縁被覆心線の絶縁被覆を突き刺し、前記既設絶縁被覆心線及び割り入れ絶縁被覆心線の導線部分まで達するまで圧入して電気的導通が得られるようにしたことを特徴としている。
【００２９】
図６（ａ）は、割スリーブ１に心線圧着部品２が装着されていない状態を示している。なお、割スリーブ１の内部には絶縁性のグリース５が充填されている。この状態で、図６（ｂ）に示すように、切断されていない既設絶縁心線４ｃを割スリーブ１の割部分から内部に挿入し、図６（ｃ）に示すように心線圧着部品２を装着する。
次に、割り入れ心線４ｄを割スリーブ１内に挿入する。その後は、第１実施形態と同様の手順で絶縁被覆心線の接続を行うことが可能である。
【００３０】
この方法により、既設の絶縁被覆心線４ｃを切断することなく割り入れ心線４ｄの分岐が可能であり、既設絶縁被覆心線４ｃの一部分を取り替える場合においても図６（ｄ）に示すように既設絶縁被覆心線４ｃの取り替え部分に割り入れ心線４ｄを割り入れ、図６（ｅ）に示すようにその両端を本発明による絶縁被覆心線接続方法を適用して接続し、図６（ｆ）に示すように取替え部分の心線を切断し、縁切りすることにより既設絶縁被覆心線の一部分の取り替えが可能となる。
【００３１】
縁切りされた絶縁被覆心線４ｃの切断は、割スリーブ１の内部に充填されていた絶縁性のグリース５が心線圧着部品２の押し込みによりはみ出している部分において行うため、絶縁被覆心線４ｃの切断面の絶縁が確保されている。なお、第１実施形態及び第２実施形態では、１接続の形態について説明したが、心線接続用冶具３について複数の割スリーブを設置可能とすることにより、複数の一括接続が可能となる。また、割スリーブ１および心線圧着部品２を自動的に冶具３へ供給可能となる機構を有する冶具３にすることにより、作業性が一層向上するのは明らかである。
【００３２】
【発明の効果】
以上述べたように、本発明によれば、通信用メタリックケーブルの絶縁被覆心線を接続するのに、絶縁被覆心線の絶縁被覆を除去することなく確実に電気的導通が実現でき、接続状態の保持固定を安定した状態で得られる。
また、現用に供している既設絶縁心線に対しその心線を切断することなく割り入れが可能であり、現用の回線に与える影響を最小限に抑制することができる。
【００３３】
さらに、本発明によれば１心線の接続部としての大きさは接続する絶縁被覆心線の外径の４〜５倍の程度の外径で心線の軸方向に１０〜２０ｍｍ程度の円筒状としての形状を有し、小型化が実現可能である。そのため、多数心線を接続した場合のケーブル全体においても、少ない占用容積で施工が可能となる。
【図面の簡単な説明】
【図１】  本発明の第１の実施形態に係る通信用メタリックケーブルの絶縁被覆心線接続方法を実施するのに使用する割スリーブ及び心線圧着部品の外観構成を示す斜視図。
【図２】  本発明の第１の実施形態に係る通信用メタリックケーブルの絶縁被覆心線接続方法を実施するのに使用する心線接続用冶具の外観構成を示す斜視図。
【図３】  本発明の第１の実施形態に係る通信用メタリックケーブルの絶縁被覆心線接続方法の手順を示す説明図。
【図４】  本発明の第１の実施形態に係る通信用メタリックケーブルの絶縁被覆心線接続方法による絶縁被覆心線の電気的導通状態及び心線固定状態を示す説明図。
【図５】  本発明の第１の実施形態に係る通信用メタリックケーブルの絶縁被覆心線接続方法による割スリーブ内への心線圧着部品の押し込み状況を示す説明図。
【図６】  本発明の第１の実施形態に係る通信用メタリックケーブルの絶縁被覆心線接続方法の手順を示す説明図。
【符号の説明】
１…割スリーブ
１ａ，１ｂ…位置決め用ストッパ
１ｃ…凸面形状の模様
１ｄ…位置決め用突起部
２…心線圧着部品
２ａ…先端部
２ｂ…基部
２ｃ…針状突起部
３…心線接続用冶具
３ａ…受け部
３ｂ…押し込み部
【図１】
0003926630.tif 000002
【図２】
0003926630.tif 000003
【図３】
0003926630.tif 000004
【図４】
0003926630.tif 000005
【図５】
0003926630.tif 000006
【図６】
0003926630.tif 000007